(57)【要約】【課題】無線タグを利用することにより、簡単な回路構成で低コストにできる電気回路の通電状態を検知する装置を提供する。【解決手段】無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから成る無線タグ６を有している。そして、前記スイッチ５は、電気回路の導通状態又は非導通状態によってＯＮ／ＯＦＦ動作するものである。従って、これにより、電気回路の通電状態によって無線タグ６による通電状態のデータ送信が自動的に行われる。【選択図】  図１
2005129439.tif 000002
【特許請求の範囲】
【請求項１】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを有し、前記スイッチが電気回路の導通状態又は非導通状態によってＯＮ／ＯＦＦ動作するものである無線タグによる通電状態検知装置。
【請求項２】
前記電気回路がランプ回路である請求項１に記載の無線タグによる通電状態検知装置。
【請求項３】
前記スイッチがリレーからなるものである請求項１又は２に記載の無線タグによる通電状態検知装置。
【発明の詳細な説明】
【技術分野】
【０００１】
本発明は、電気回路の導通状態又は非導通状態によって、ＯＮ／ＯＦＦ動作し、無線電波（ここでは電磁波を含む、以下同じ）を受信して電源の供給を受け、この電源を利用してデータをアンテナから送信する無線タグＩＣを用いた通電状態検知装置に関するものである。
【背景技術】
【０００２】
例えば、ランプ回路のランプが切れたことを検知する装置としては、特許文献１〜３に示す技術がある。特許文献１に記載された技術は、投光器のランプを点灯させる駆動電流を供給する駆動回路と、投光器のランプに微小電流を供給するランプ切れ検知回路とを設けると共に、前記駆動回路と検知回路との切換スイッチを設けている。切換スイッチは、電源を投入したときには駆動回路側がＯＮ動作するようにしてランプを点灯させ、電源をＯＦＦにしたときにはランプが消灯して検知回路側がＯＮ動作するようになっている。このとき、ランプに微小電流が供給されるが、ランプが切れているときには、電流が流れなくなるので、この微小電流を検知することでランプ切れを検知するようにしている。
【０００３】
特許文献２に記載された技術は、自動車のストップランプ又はテールランプのランプ切れを検知するためのものであり、ストップランプと直列に接続された電流検知抵抗に発生する電圧を、Ｖ／Ｆ変換器を介してマイクロコンピュータで検知するようにしている。マイクロコンピュータでは、最初に点灯した正常点灯時の電流を記憶し、その電流からランプ断線時の電流に対応する断線検知電流値を算出し、記憶しておき、実際に検知された電流値が断線検知電流値より低い場合に、ランプ断線警報を出力し、知らせるようにしている。
【０００４】
特許文献３に記載された技術は、光源のランプの光量をモニタするモニタ用の受光素子を別途設けると共に、このモニタ用の受光素子からの信号に基づいて光源のランプ切れを判定する判定回路を設けている。つまり、この特許文献３の技術では、光源のランプの光量を検知する専用の受光素子とその判定回路とを設けることにより、ランプ切れを専用的に検知するようにしている。
【特許文献１】特開２０００−１５０１７５公報
【特許文献２】特開平６−１３５２８５号公報
【特許文献３】特開平１０−３３９６９７号公報
【発明の開示】
【発明が解決しようとする課題】
【０００５】
このように特許文献１及び特許文献２の技術にあっては、ランプ回路を流れる電流の有無又は電流値を計測することにより、電流が流れない場合又は電流値が設定値よりも低い場合にランプ切れであると判断している。このような電流検知方法では、ランプ回路中に電流検知のための電子部品又は計測機器並びに判定機器を設置する必要があり、回路構成が複雑化し、コストアップの原因にもなっていた。
【０００６】
一方、特許文献３の技術にあっては、専用のランプ切れ検知装置が必要であり、前記特許文献１及び２の場合と同じようにランプ切れ検知のための専用の電子部品又は計測機器並びに判定機器を設置する必要があり、それに加えて駆動回路と検知回路との切換スイッチも必要であり、前記特許文献１及び２の場合よりも回路構成が複雑化し、またよりコストアップとなる欠点があった。
【０００７】
本発明は従来の前記課題に鑑みてこれを改良除去したものであって、無線電波を受信して電源の供給を受け、無線タグＩＣから電気回路の通電状態に関するデータを送信するようにした無線タグを利用することにより、回路構成が簡単で且つ電子部品も簡素化された電気回路の通電状態を検知する装置の提供が可能となる。
【課題を解決するための手段】
【０００８】
前記課題を解決するために本発明が採用した請求項１の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを有し、前記スイッチが電気回路の導通状態又は非導通状態によってＯＮ／ＯＦＦ動作するものである無線タグによる通電状態検知装置である。
【０００９】
本発明が採用した請求項２の手段は、前記電気回路がランプ回路である請求項１に記載の無線タグによる通電状態検知装置である。
【００１０】
本発明が採用した請求項３の手段は、前記スイッチがリレーからなるものである請求項１又は２に記載の無線タグによる通電状態検知装置である。
【発明の効果】
【００１１】
このように請求項１の発明にあっては、電気回路が通電状態にあるか否かによってスイッチがＯＮ／ＯＦＦとなるので、これによってアンテナ回路が閉成されたときにリーダ側から電源の供給を受け、無線タグＩＣからの断線に関するデータを無線インターフェイスによりリーダ側へ送信することができる。従って、電気回路には断線を検知するためのスイッチがあるのみであり、また無線タグを利用しているので、極めてシンプルな回路構成とすることができ、コスト的にも有利である。
【００１２】
また請求項２の発明にあっては、電気回路をランプ回路としている。これにより、ランプ切れを自動的に検知することが可能である。
【００１３】
また請求項３の発明にあっては、前記電気回路のスイッチをリレーによって構成しており、スイッチとしての構成もシンプルである。
【発明を実施するための最良の形態】
【００１４】
以下に、本発明の構成を図面に示す発明の実施の形態に基づいて説明すると次の通りである。図１は本発明の第１の実施の形態に係るものであり、図（Ａ）はランプ１が導通状態のときのランプ切れ検知装置２の回路図、図（Ｂ）はランプ１が非導通状態（ランプ切れ）のときのランプ切れ検知装置２の回路図である。同図に示す如く、この実施の形態に係るランプ切れ検知装置２は、ランプ１を点灯又は消灯させるためのランプ回路Ａと、ランプ切れを検知たるめの回路Ｂとから成る。
【００１５】
ランプ回路Ａは電源７と、ランプ１と、リレー８とが直列に接続されている。またランプ切れ検知回路Ｂは、無線電波を送受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから成る無線タグ６を有している。そして、前記スイッチ５の可動接片５Ａ，固定接片５Ｂが前記ランプ回路Ａのリレー８によって当接を繰り返し、ＯＮ／ＯＦＦするように構成されている。また無線タグＩＣ４は、ランプ切れを確認する機器としてのリーダ（図示せず）とアンテナ３を通じて無線電波で送受信を行うように設定されている。
【００１６】
次に、このように構成されたランプ切れ検知装置２の動作態様を説明する。今、ランプ１が点灯している状態であると仮定すると、ランプ回路Ａの全体にランプ点灯用の電流が流れるため、リレー８のコイルによる電磁誘導作用によってランプ切れ検知回路Ｂのスイッチ５の可動接片５Ａが固定接片５Ｂに当接された状態に保持されている。そのため、アンテナ３の回路が閉成され、リーダ側からの寝無線電波を受信して無線タグＩＣ４内部の電圧発生回路に動作用の電圧を発生させる。これにより、無線タグＩＣ４は、メモリーに記憶されているデータを読み取り、当該データを無線通信インターフエイスを通じてアンテナ３からリーダ側へ送信する。リーダ側では、送信されたデータに応じてランプ切れであるか否かを判断する。この図１の図（Ａ）に示す状態では、ランプ１は正常である旨のデータが送信されている。
【００１７】
ランプ切れが発生した場合は、図１の図（Ｂ）に示すように、ランプ１のフィラメントが断線するので、ランプ回路Ａに電流が流れることはない。そのため、リレー８に電磁誘導作用は発生せず、スイッチ５の接片５Ａは、固定接片５Ｂから離れた状態にある。従って、アンテナ回路が開放されたままであり、アンテナ３はリーダ側の無線電波を受信することがなく、無線タグＩＣ４に動作用の電源が発生することもない。
このように、図（Ａ）に示す正常な導通状態から、図（Ｂ）に示す非導通状態（ランプ切れの状態）へ変化した場合には、そのときからリーダ側で無線タグＩＣ４からのデータの送信がなくなるので、ランプ切れであることを知ることが可能である。
【００１８】
図２は本発明の第２の実施の形態に係るものである。この実施の形態では、例えば、自動車のテールランプのランプ切れに適用した場合を示すものである。テールランプは、例えば複数個のランプ９〜１１が電源１２に対して並列接続されている。これらのランプ回路と電源との間にトランス１３が接続されている。トランス１３の二次捲線側には、第１の実施の形態におけるランプ切れ回路Ｂ１〜Ｂ３が並列に接続されている。これらのランプ切れ回路Ｂ１〜Ｂ３は、それぞれ電流の大きさによってスイッチ５のＯＮ／ＯＦＦ動作が段階的に行われるようになされている。
【００１９】
例えば、ランプ９〜１１の全てが導通している正常な状態にあっては、この回路全体に流れる電流が３Ａだとすると、ランプ切れ検知回路Ｂ１，Ｂ２，Ｂ３のすべてのスイッチ５がＯＮとなり、各無線タグＩＣ４からそのデータがリーダ側へ無線電波により送信される。またランプ９〜１１のうちの一つが切れている場合のランプ側の回路全体に流れる電流が２Ａだとすると、ランプ切れ検知回路Ｂ２，Ｂ３のみがＯＮとなり、該当する各無線タグＩＣ４からのデータがリーダ側へ無線電波により送信されることにより、一個のランプが断線していることがわかる。更に、ランプ９〜１１のうちの二つが切れている場合のランプ側の回路全体に流れる電流が１Ａだとすると、ランプ切れ検知回路Ｂ３のみがＯＮとなり、該当する無線タグＩＣ４からのデータがリーダ側へ送信されることにより、二個のランプが断線していることがわかる。更にまた、全てのランプ９〜１１が断線している場合は、ランプ切れ検知回路Ｂ１〜Ｂ３からの出力が全くなくなるので、リーダ側ではこれにより全てのランプが切れていることを知ることが可能である。
【００２０】
ところで、本発明は上述した実施の形態に限定されるものではなく、通電状態を検知する対象となる機器は、通常の電子機器であってもよく、電気を使用する回路の全てに適用することが可能である。
【図面の簡単な説明】
【００２１】
【図１】本発明の第１の実施の形態に係るものであり、図（Ａ）はランプが導通状態のときのランプ切れ検知装置の回路図、図（Ｂ）はランプが非導通状態（ランプ切れ）のときのランプ切れ検知装置の回路図である。
【図２】本発明の第２の実施の形態に係るものであり、自動車のテールランプのランプ切れを検知する装置の回路図である。
【符号の説明】
【００２２】
１…ランプ、２…ランプ切れ検知装置、３…アンテナ、４…無線タグＩＣ、５…スイッ  チ、６…無線タグ、７…電源、８…リレー、９〜１１…ランプ、１２…電源、１３…ト  ランス、Ａ…ランプ回路、Ｂ〜Ｂ３…ランプ切れ検知回路
【図１】
2005129439.tif 000003
【図２】
2005129439.tif 000004